(57)【要約】【課題】交換局又は基地局等の通信対象物への方向にアンテナの向きを容易に調整できる加入者局アンテナを提供する。【解決手段】アンテナ部１１の周辺部分に形成された覗き穴の中心軸と、アンテナ部１１及び無線部１２を柱１６に取り付けるための取付け金具１４に形成された覗き穴１５の中心軸が、いずれもアンテナ部１１の指向性方向と同一の方向であり、これらの中心軸が同一の直線上に配置されるように設置された加入者局アンテナである。【選択図】　　　　図６
2004072557.tif 000002
【特許請求の範囲】
【請求項１】
加入者無線システムに用いられる加入者局アンテナであって、
無線信号の放出及び取り込みを行うアンテナ部と、
前記アンテナ部で放出する無線信号の変調と、前記アンテナ部で取り込む無線信号の復調を行う無線部とを有し、
前記アンテナ部の周辺に、無線通信を行う対象物を確認するための覗き穴を設け、当該覗き穴は、前記アンテナ部の指向性方向と同一方向の中心軸を有することを特徴とする加入者局アンテナ。
【請求項２】
加入者無線通信システムに用いられる加入者局アンテナであって、
無線信号の放出及び取り込みを行うアンテナ部と、
前記アンテナ部で放出する無線信号の変調と、前記アンテナ部で取り込む無線信号の復調を行う無線部と、
前記アンテナ部及び前記無線部を所望の場所に設置する設置部とを有し、
前記設置部に、無線通信を行う対象物を確認するための覗き穴を設け、当該覗き穴は、前記アンテナ部の指向性方向と同一方向の中心軸を有することを特徴とする加入者局アンテナ。
【請求項３】
加入者無線通信システムに用いられる加入者局アンテナであって、
無線信号の放出及び取り込みを行うアンテナ部と、
前記アンテナ部で放出する無線信号の変調と、前記アンテナ部で取り込む無線信号の復調を行う無線部と、
前記アンテナ部及び前記無線部を所望の場所に設置する設置部とを有し、
前記設置部に、無線通信を行う対象物を確認するための覗き穴を設け、当該覗き穴は、前記アンテナ部の指向性方向と同一方向の中心軸を有し、
前記アンテナ部の周辺に、前記アンテナ部の指向性方向と同一方向の中心軸を有する覗き穴を設け、
前記設置部の覗き穴の中心軸と、前記アンテナ部の覗き穴の中心軸とが同一の直線上に配置されるように前記アンテナ部及び無線部を設置することを特徴とする加入者局アンテナ。
【発明の詳細な説明】
【０００１】
【発明の属する技術分野】
本発明は、加入者無線システムで用いる加入者局アンテナに係り、特に容易に通信対象物の方向にアンテナの向きを調整できる加入者局アンテナに関する。
【０００２】
【従来の技術】
無線による高速データ通信サービスとして近年、加入者局無線システム（Ｆｉｘｅｄ　Ｗｉｒｅｌｅｓｓ　Ａｃｃｅｓｓ：以下ＦＷＡ）が注目されている。ＦＷＡでは、Ｐ−Ｐ（Ｐｏｉｎｔ　ｔｏ　Ｐｏｉｎｔ）方式と、Ｐ−ＭＰ（Ｐｏｉｎｔ　ｔｏ　Ｍｕｌｔｉ　Ｐｏｉｎｔ）方式の二種類のネットワーク構成が用いられている。
【０００３】
以下、これらの方式による通信形態について、図を用いて説明する。まず、Ｐ−Ｐ方式による通信形態について、図８を用いて説明する。図８は、Ｐ−Ｐ方式による通信形態を示した説明図である。図８において、オフィスビルＡ４１、オフィスビルＢ４２及び企業ユーザ４３はそれぞれＦＷＡのサービスを享受する加入者である。
【０００４】
Ｐ−Ｐ方式は、二地点間を一対一で結ぶものであり、加入者と交換局との間の通信は、無線通信によって行われる。無線通信の具体的な方法は、図８のオフィスビルＡ４１のように、直接交換局４６と無線通信を行う場合、オフィスビルＢ４２のように、中継局４５を介して交換局４６と無線通信を行う場合、企業ユーザ４３のように、複数の中継局４４及び４５を介して交換局４６と無線通信を行う場合とがある。
Ｐ−Ｐ方式の伝送速度は最大１５５Ｍビット／秒であり、主に大容量のデータ通信を必要とする企業向けに用いられている。
【０００５】
次に、Ｐ−ＭＰ方式による通信形態について、図９を用いて説明する。図９は、Ｐ−ＭＰ方式による通信形態を示した説明図である。図９において、集合住宅５２、学校５３及び住宅５５−１〜５５−３はそれぞれＦＷＡのサービスを享受する加入者である。また基地局５１及び５４は、交換局５６と光ファイバ網で接続されている。
【０００６】
Ｐ−ＭＰ方式は、一つの基地局で数十〜数百の加入者との通信を行う、すなわち二地点間を一対多で結ぶものであり、加入者と基地局との間の通信は無線通信で、基地局と交換局との間の通信は、光ファイバ網によって行われる。
図９に示すように、基地局５１は、近傍にある集合住宅５２及び学校５３との無線通信を行い、基地局５４は、近傍にある住宅５５−１〜５５−３との無線通信を行う。また、基地局５１及び５４はそれぞれ、交換局５６と光ファイバ網による通信を行う。
Ｐ−ＭＰ方式の伝送速度は最大１０Ｍビット／秒であり、主にＳＯＨＯ（Ｓｍａｌｌ　Ｏｆｆｉｃｅ　Ｈｏｍｅ　Ｏｆｆｉｃｅ）や一般家庭等の個人ユーザ向けに用いられている。
また、Ｐ−Ｐ方式及びＰ−ＭＰ方式において交換局は、電話網やインターネット等の基幹ネットワークと接続されており、他のネットワークサービスとの通信を行うことができる。
【０００７】
ＦＷＡの加入者は、交換局又は基地局との無線通信を行うために、屋外に加入者局アンテナを設置する必要がある。加入者局アンテナを設置する際には、最適な環境で通信を行うために、交換局又は基地局の方向に当該アンテナの向きを調整することを考慮しなければならない。
アンテナの向きを調整するための方法として、従来はスコープ等の器具を用いて交換局又は基地局のような通信対象物を確認し、当該対象物の方向がアンテナの指向性方向と同一となるようにアンテナの向きを調整するか、アンテナの位置と対象物との位置関係を計算により求めてアンテナの向きの角度調整を行っていた。
【０００８】
また、ビル街等の空間にアンテナを設置する場合には、上記調整を行ったにもかかわらず、マルチパス等の現象により、所望の強度の無線信号が得られない場合がある。このため加入者は、実際の通信環境に適合した向きを特定するために、最初に大まかな調整を行って適切な位置にアンテナを設置した後、アンテナでの無線信号の送信レベル及び受信レベルの測定を行い、測定結果に基づいて、再度向きの調整を行うことが一般的に行われている。
【０００９】
通信環境を考慮してアンテナの向きの調整を行う従来技術として、平成１４年３月１５日公開の特開２００２−７７０３６号「回線品質判別方法および装置」（出願人：株式会社東芝、発明者：山下勉他）が提案されている。
当該従来技術では、ＦＷＡ等における基地局のアンテナ本体にライフルスコープと、ライフルスコープの視野のセンターエリアの電波強度を測定する電波強度計を設け、電波強度計における電波強度の測定結果をライフルスコープの視野内に表示して、当該測定結果に基づいてアンテナ本体の設置位置における回線品質を判別し、アンテナの適切な取り付け位置を判断している。
【００１０】
【発明が解決しようとする課題】
しかしながら、上記従来のアンテナの向きの調整方法では、以下の理由で、調整が複雑となり、且つ費用が多大となるという問題点があった。
従来の調整方法のうち、角度調整の計算を行う方法では、専門的な技術が必要となり、調整が複雑となる問題点がある。更にアンテナの送信レベル及び受信レベルの測定結果に基づいて、再度調整を行う場合には、調整の負担が多大となる。
また、スコープを用いた調整方法では、スコープ等の器具が別個に必要となるため、手間がかかるという問題点がある。
【００１１】
また、特開２００２−７７０３６号の従来技術では、アンテナの設置位置の判断にあたって、別個にライフルスコープ及び電波強度計を取り付けているため、これらの装置についての費用がかかるという問題点がある。
【００１２】
本発明は上記実情に鑑みて為されたもので、容易に通信対象物の方向にアンテナの向きを調整できる加入者局アンテナを提供することを目的とする。
【００１３】
【課題を解決するための手段】
上記従来例の問題点を解決するための本発明は、加入者無線システムに用いられる加入者局アンテナであって、無線信号の放出及び取り込みを行うアンテナ部と、アンテナ部で放出する無線信号の変調と、アンテナ部で取り込む無線信号の復調を行う無線部とを有し、アンテナ部の周辺に、無線通信を行う対象物を確認するための覗き穴を設け、当該覗き穴は、アンテナ部の指向性方向と同一方向の中心軸を有するものであり、容易に通信対象物の方向にアンテナの向きを調整することができる。
【００１４】
また、加入者無線通信システムに用いられる加入者局アンテナであって、無線信号の放出及び取り込みを行うアンテナ部と、アンテナ部で放出する無線信号の変調と、アンテナ部で取り込む無線信号の復調を行う無線部と、アンテナ部及び無線部を所望の場所に設置する設置部とを有し、設置部に、無線通信を行う対象物を確認するための覗き穴を設け、当該覗き穴は、アンテナ部の指向性方向と同一方向の中心軸を有するものであり、容易に通信対象物の方向にアンテナの向きを調整することができる。
【００１５】
また、加入者無線通信システムに用いられる加入者局アンテナであって、無線信号の放出及び取り込みを行うアンテナ部と、アンテナ部で放出する無線信号の変調と、アンテナ部で取り込む無線信号の復調を行う無線部と、アンテナ部及び前記無線部を所望の場所に設置する設置部とを有し、設置部に、無線通信を行う対象物を確認するための覗き穴を設け、当該覗き穴は、アンテナ部の指向性方向と同一方向の中心軸を有し、アンテナ部の周辺に、アンテナ部の指向性方向と同一方向の中心軸を有する覗き穴を設け、設置部の覗き穴の中心軸と、アンテナ部の覗き穴の中心軸とが同一の直線上に配置されるようにアンテナ部及び無線部を設置するものであり、対象物の照準を絞りやすくできるため、一層容易に通信対象物の方向にアンテナの向きを調整することができる。
【００１６】
【発明の実施の形態】
本発明の実施の形態について図面を参照しながら説明する。
本発明の実施の形態に係る加入者局アンテナは、アンテナ部の周辺又はアンテナ部及び無線部を設置場所に取り付ける取付け金具に通信対象物の位置を確認するための覗き穴を設け、当該覗き穴の中心軸はアンテナ部の指向性方向と同一方向としたものであり、これにより容易に通信対象物の方向にアンテナの向きを調整することができる。
【００１７】
また、本発明の実施の形態に係る加入者局アンテナは、アンテナ部の周辺及びアンテナ部及び無線部を設置場所に取り付ける取付け金具の双方に通信対象物の位置を確認するための覗き穴を設け、これらの覗き穴の中心軸はアンテナ部の指向性方向と同一方向であり、且つこれらの覗き穴の中心軸が同一の直線上に配置されるように設置するものであり、これにより対象物の照準を絞り込みやすくなり、一層容易に通信対象物の方向にアンテナの向きを調整することができる。
【００１８】
尚、請求項における設置部は図３及び図４のアンテナステー及びアンテナ固定金具、図５〜図７の取り付け金具に相当する。
【００１９】
本発明の第１の実施の形態に係る加入者局アンテナ（以下、第１のアンテナ）の構成について、図１及び図２を用いて説明する。図１は、第１のアンテナの背面図を、図２は第１のアンテナの側面図をそれぞれ示したものである。
第１のアンテナは、アンテナ部１１と、無線部１２とで構成される。また、アンテナ部１１の周辺には、覗き穴１３が形成されている。
【００２０】
アンテナ部１１は、例えばパラボラアンテナであり、無線部１２で変調された無線信号を、交換局又は基地局等の通信対象物に放出し、また通信対象物からの無線信号を取り込んで無線部１２に出力する。アンテナ部１１は、お椀型の形状の反射鏡と、当該反射鏡に対面して当該反射鏡の中心部分に設けられた送受信素子とで構成される。無線信号の受信時には、送受信素子は、反射鏡で反射された無線信号を受信して、無線部１２に出力する。無線信号の送信時には、送受信素子は、直接交換局又は基地局に向かって無線信号を放出する。
【００２１】
また、アンテナ部１１には、無線信号の受信に影響しない周辺部分に、送受信素子を保護するカバーを取り付けるための複数の止め穴と、複数の覗き穴１３が形成されている。覗き穴１３は、交換局又は基地局等の通信対象物を確認するための覗き穴である。覗き穴１３は、アンテナ部１１の周辺部分から突出した突出部において、図２に示されるアンテナ部１１の指向性方向と同一の方向となるように通信対象物に向けて開けられており、当該穴を貫通する中心軸は、当該指向性方向と平行なものとなっている。
【００２２】
第１のアンテナにおいて、覗き穴１３は、突出部を設けずに、アンテナ部１１の周辺部分に直に形成するようにしてもよい。
また、覗き穴１３が形成された突出部を分離可能とし、アンテナの設置作業者がアンテナの向きを調整する際に取り付けて作業を行うものであってもよい。
【００２３】
無線部１２は、アンテナ部１１と接続しており、送信しようとする通信データを変調して無線信号としてアンテナ部１１に出力し、またアンテナ部１１で取り込まれた無線信号を通信データに復調する。無線部１２は、アンテナ部１１とのデータの入出力をケーブルを介して行っている。また、無線部１２のアンテナ部側には、所望の場所へアンテナ部１１及び無線部１２を固定する取り付け金具を取り付けるためのボルト１７が複数設けられている。
無線部１２は、背面側から見て覗きアンテナ部１１より小さい形状で穴１３が隠れない程度の大きさ又は形状となっている。
【００２４】
次に、第１のアンテナにおける向きの調整方法について図１を用いて説明する。
第１のアンテナの設置作業者は、当該アンテナの背面側から覗き穴１３を通して通信対象物を確認し、覗き穴１３の視野内に通信対象物が現れるよう、第１のアンテナの向きを調整する。図１において、覗き穴１３は複数設けられているので、作業員が利用しやすい覗き穴を任意に選択できる。
既述したように、覗き穴１３の中心軸はアンテナ部１１の指向性方向と同一方向であるから、覗き穴１３の視野内に通信対象物が現れた際のアンテナの向きが、通信対象物に対する第１のアンテナの最適な向きとなる。上記調整方法によって特定された最適な向きに第１のアンテナを設定することによって、第１のアンテナは通信対象物の方向に対応して無線通信を行うことができる。
【００２５】
次に、本発明の第２の実施の形態に係る加入者局アンテナ（以下、第２のアンテナ）について、図３、図４及び図１０を用いて説明する。図３は第２のアンテナの背面図を、図４は、第２のアンテナの側面図を、図１０は、アンテナ部及び無線部を取り外した際の第２のアンテナの側面図をそれぞれ示したものである。
【００２６】
第２のアンテナにおいて、アンテナ部２１は、アンテナ部２１の周辺には覗き穴は設けられていない点を除いて、第１のアンテナのアンテナ部１１と同一の機能及び構成を有するものである。また、アンテナ部２１には、無線信号を透過する材質で構成されたカバーが取り付けられている。
【００２７】
無線部２２は、第１のアンテナの無線部１２と同一の機能を有するものである。無線部２２は第１のアンテナと同様、アンテナ部２１と接続された構成となっている。また、アンテナ部２１と無線部２２とは、無線部２２側からアンテナ部２１へ差し込まれる複数のボルト２７によって接合される。
【００２８】
また、第２のアンテナにおいて、アンテナ部２１及び無線部２２は、アンテナステー２３及びアンテナ固定金具２５によって、取り付け場所の柱２６に特定の向きに固定される。
アンテナステー２３は、アンテナ部２１、無線部２２及びアンテナ固定金具２５への取り付けを行う金具であり、取り付けのための複数の穴を形成した構成となっている。アンテナステー２３は、アンテナ部２１と無線部２２の接合部分と、接合のためのボルト２７によって挟み込まれた状態で固定されることで、アンテナ部２１及び無線部２２に取り付けられる。
また、アンテナステー２３は、アンテナ固定金具２５に設けられたアンテナステー２３の取り付けのためのボルト２５１によってアンテナ固定金具２５に取り付けられる。
【００２９】
また、図３に示すように、アンテナステー２３には、通信対象物を確認するための覗き穴２４が形成されている。覗き穴２４は、アンテナ部２１へアンテナステー２３を取り付けた際には、アンテナ部２１の指向性方向と同一の方向となるように通信対象物に向けて開けられており、当該穴を貫通する中心軸は、当該指向性方向と平行なものとなっている。
この点を考慮して、アンテナステー２３は、アンテナの設置作業者が覗き穴２４を覗いて観測するのに障害とならない程度の距離だけアンテナ部２１及び無線部２２を柱２６から離して、アンテナ固定金具２５に取り付ける仕様となっている。
【００３０】
アンテナ固定金具２５は、アンテナステー２３を柱２６に固定する金具である。アンテナ固定金具２５は、アンテナステー２３を取り付けるためのボルト２５１及び柱２６に固定するための複数の柱止め具２５２を有しており、設置作業者は、アンテナステー２３が取り付けられた状態で柱止め具２５２を用いて柱２６を押え込む形で取り付けることによって、柱２６上においてアンテナ部２１及び無線部２２を特定の向きに固定することができる。
【００３１】
また、図１０に示すように、アンテナステー２３のアンテナ固定金具２５への接合面は円形となっている。アンテナステー２３は、当該接合面の円周部分がボルト２５１の頭とアンテナ固定金具２５との間に挟みこまれ、さらにボルト２５１がアンテナ固定金具２５に設けられたボルト穴にねじこまれて固定されることで、アンテナ固定金具２５に固定されて取り付けられる。
第２のアンテナでは、設置作業者は、アンテナステー２３のアンテナ固定金具２５への接合面を回転して、ボルト２５１とアンテナ固定金具２５にアンテナステー２３の接合面を挟みこんでボルト２５１をアンテナ固定金具２５のボルト穴にねじこむことで、アンテナ部２１及び無線部２２を所望の傾きに固定することができる。この固定は仮止め固定であって、その後、回転位置を調整し、正式固定を行うものである。
【００３２】
次に、第２のアンテナの柱２６への取り付け方法について説明する。
まずアンテナの設置作業者は、アンテナステー２３をアンテナ固定金具２５に仮止め固定し、さらにアンテナ固定金具２５を柱２６に仮止め固定する。次に設置作業者は、アンテナ部２１の背面側から覗き穴２４を通して通信対象物を確認し、視野内に通信対象物が現れるよう、第２のアンテナの向きを調整する。
具体的には、第２のアンテナの柱２６上の位置及び柱２６に対する傾きを変えることによって、向きを調整する。柱２６に対する傾きを変える調整では、設置作業者は、アンテナステー２３を仮止め固定したボルト２５１を緩めて、アンテナステー２３のアンテナ固定金具２５への接合面を最適な回転位置へ回転する作業を行う。最適な回転位置が決定すると、設置作業者は、アンテナステー２３をアンテナ固定金具２５へ正式固定する。
【００３３】
覗き穴２４の中心軸はアンテナ部２１の指向性方向と同一方向であるから、覗き穴２４の視野内に通信対象物が現れた際のアンテナの向きが、通信対象物に対する第２のアンテナの最適な向きとなる。
特にアンテナステー２３の板厚と、覗き穴２４の直径の比が一定値以下であるような場合には、覗き穴２３を通しての確認がスコープによる確認と同一の効果があるため、通信対象物に照準を絞りやすくなり、通信対象物の確認が容易となる。上記効果を実現するためには、アンテナステー２３の板厚と、覗き穴２４の直径の比は、１／２以下であることが望ましい。
【００３４】
アンテナ部２１及び無線部２２の最適な向きが特定されると、最後に設置作業者はアンテナ固定金具２５を特定された向きに柱２６に正式に固定し、アンテナステー２３を特定された傾きでアンテナ固定金具２５に正式に固定し、そしてアンテナステー２３にアンテナ部２１及び無線部２２を取り付ける。
上記調整方法によって特定された最適な向きにアンテナ部２１を設定することによって、第２のアンテナは通信対象物の方向に対応して無線通信を行うことができる。
第２のアンテナにおいて、アンテナステー２３は、予めアンテナ部２１及び無線部２２とを取り付けた後で上記調整方法を行ってもよい。
【００３５】
次に、本発明の第３の実施の形態に係る加入者局アンテナ（以下、第３のアンテナ）について、図５〜図７を用いて説明する。図５は、第３のアンテナの上面図を、図６は第３のアンテナの背面図を、図７は第３のアンテナの側面図をそれぞれ示したものである。
【００３６】
第３のアンテナは、取り付け場所である柱１６に第１のアンテナを取り付けるための取り付け金具１４を設けたものである。取り付け金具１４は、アンテナ取り付け部１４１及び固定部１４２とで構成されている。第３のアンテナにおいて、取り付け金具１４は、アンテナ取り付け部１４１が固定部１４２に対して垂直となるような構成となっている。
【００３７】
アンテナ取り付け部１４１は、取り付け金具１４において無線部１２への取り付けを行う部分であり、複数のボルト穴を形成した構成となっている。アンテナ取り付け部１４１は、無線部１２のアンテナ部側に設けられているボルト１７によって無線部１２と挟み込まれた状態で固定されることで、無線部１２に取り付けられる。既述したように、アンテナ部１１及び無線部１２とは互いに接続されているため、アンテナ取り付け部１４１は、アンテナ部１１及び無線部１２とを取り付けることができる。
【００３８】
また、アンテナ取り付け部１４１には、図６に示すように、通信対象物を確認するための覗き穴１５が形成されている。覗き穴１５は、アンテナ取り付け部１４１が無線部１２に取り付けられた状態において、アンテナ部１１の周辺に形成された覗き穴１３に対しそれぞれの中心軸が同一の直線上に配置されるような位置で、アンテナ取り付け部１４１に形成されている。覗き穴１５も覗き穴１３と同様、アンテナ部１１の指向性方向と同一の方向となるように通信対象物に向けて開けられており、当該穴を貫通する中心軸は、当該指向性方向と平行なものとなっている。
図６において、覗き穴１５は柱１６寄りの位置に形成されているが、無線部１２への取り付け時に、アンテナ部１１の覗き穴１３に対しそれぞれの中心軸が同一の直線上に配置されるような位置であれば、アンテナ取り付け部１４１のどの位置に形成してもよい。
【００３９】
固定部１４２は、取り付け金具１４において柱１６への固定を行う部分である。固定部１４２は、柱１６を押え込むようにして、柱１６における所望の位置に所望の傾きを成して取り付け金具１４を固定することができる。
上記機能を実現する手段として、固定部１４２は、図７に示すような柱止め具１４３及び傾き止め具１４４を有している。柱止め具１４３は、取り付け金具１４を柱１６に固定する。固定部１４２は、柱止め具１４３のネジを締めることによって柱１６を堅固に押え込み、取り付け金具１４を柱１６上の所望の位置に固定できる。
【００４０】
傾き止め具１４４は、取り付け金具１４を任意の傾きで柱１６に固定する。傾き止め具１４４は、左右のユニットに分かれて構成されており、取り付け金具１４を柱止め具１４３によって柱１６に固定させた状態で回転させると、各ユニットのネジが溝を移動する。左右のユニットのネジは連動して溝を移動する仕様となっている。固定部１４２は、取り付け金具１４が所望の傾きになった時点で傾き止め具１４４の左右のユニットのネジを締めることによって、取り付け金具１４を所望の傾きに固定できる。
【００４１】
次に、第３のアンテナの柱１６への取り付け方法について説明する。
アンテナの設置作業者はまず、取り付け金具１４のアンテナ取り付け部１４１を、無線部１２に取り付ける。上述したように、アンテナ取り付け部１４１が無線部１２に取り付けられると、覗き穴１５及びアンテナ部１１に設けられた覗き穴１３は、それぞれの中心軸が同一の直線上に配置されるように予め設計されている。アンテナ部１１及び無線部１２の取り付け後、設置作業者は、取り付け金具１４の固定部１４２を柱１６に仮止め固定する。
【００４２】
次に設置作業者は、アンテナ取り付け部１４１が取り付けられた状態で、アンテナ部１１の背面側から覗き穴１５及び１３を通して通信対象物を確認し、視野内に通信対象物が現れるよう、第３のアンテナの向きを調整する。具体的には第１のアンテナの柱１６上の位置及び柱１６に対する傾きを変えることによって、向きを調整する。
【００４３】
覗き穴１５の中心軸も、アンテナ部１１の指向性方向と同一方向であるから、覗き穴１５及び１３の視野内に通信対象物が現れた際のアンテナの向きが、通信対象物に対する第３のアンテナの最適な向きとなる。
特に覗き穴１５及び１３とが一定の距離をおいて離れており、且つそれぞれの中心軸が同一の直線上に位置している場合には、覗き穴１５及び１３とでスコープを構成するため、通信対象物に照準を絞りやすくなり、通信対象物の確認が容易となる。上記効果を実現するためには、覗き穴１５及び覗き穴１３の直径は、１０ｍｍ以下とすることが望ましい。
【００４４】
アンテナの最適な向きが特定されると、最後に設置作業者は柱止め具１４３及び傾き止め具１４４を用いて、第３のアンテナを特定された向きに柱１６に正式に固定する。
上記調整方法によって特定された最適な向きにアンテナ部１１及び無線部１２を設定することによって、第３のアンテナは通信対象物の方向に対応して無線通信を行うことができる。
【００４５】
本発明の実施の形態に係る加入者局アンテナによれば、アンテナ部の周辺又はアンテナ部及び無線部を設置場所に固定するための取り付け金具に、通信対象物を確認するための覗き穴を設け、当該覗き穴の中心軸はアンテナ部における指向性方向と同一の方向としたことにより、当該覗き穴を通して通信対象物を確認することで、通信対象物に対するアンテナ部の最適な向きを容易に特定することができるため、容易に通信対象物の方向にアンテナの向きを調整することができる効果がある。
【００４６】
特に本発明の実施の形態に係る加入者局アンテナでは、専門技術を要する計算処理や、スコープ等の器具は不要であり、従来よりも加入者局アンテナの最適な向きを容易に且つ簡易に調整することができる。
また、アンテナの送信レベル及び受信レベルの測定結果に基づいて、再度向きの調整を行う場合においても、本発明の実施の形態に係る加入者局アンテナを用いることによって、最初の大まかな調整は十分に達成できるため、全体の調整作業における負担及び費用を軽減することができる。
【００４７】
また、アンテナ部の周辺及びアンテナ部及び無線部を設置場所に固定するための取り付け金具に、通信対象物を確認するための覗き穴を設け、当該覗き穴の中心軸はアンテナ部における指向性方向と同一の方向とし、これらの覗き穴の中心軸が同一の直線状に配置されるよう設置したことにより、当該覗き穴を通して通信対象物を確認することで、スコープを用いて確認した場合と同一の効果を奏するため、通信対象物に対するアンテナ部の最適な向きをさらに容易に特定することができ、一層容易に通信対象物の方向にアンテナの向きを調整することができる効果がある。
【００４８】
【発明の効果】
本発明によれば、加入者無線システムに用いられる加入者局アンテナにおいて、無線信号の放出及び取り込みを行うアンテナ部と、アンテナ部で放出する無線信号の変調と、アンテナ部で取り込む無線信号の復調を行う無線部とを有し、アンテナ部の周辺に、無線通信を行う対象物を確認するための覗き穴を設け、当該覗き穴は、アンテナ部の指向性方向と同一方向の中心軸を有するものとしているので、容易に通信対象物の方向にアンテナの向きを調整できる効果がある。
【００４９】
また、本発明によれば、加入者無線通信システムに用いられる加入者局アンテナにおいて、無線信号の放出及び取り込みを行うアンテナ部と、アンテナ部で放出する無線信号の変調と、アンテナ部で取り込む無線信号の復調を行う無線部と、アンテナ部及び無線部を所望の場所に設置する設置部とを有し、設置部に、無線通信を行う対象物を確認するための覗き穴を設け、当該覗き穴は、アンテナ部の指向性方向と同一方向の中心軸を有するものとしているので、容易に通信対象物の方向にアンテナの向きを調整できる効果がある。
【００５０】
また、本発明によれば、加入者無線通信システムに用いられる加入者局アンテナにおいて、無線信号の放出及び取り込みを行うアンテナ部と、アンテナ部で放出する無線信号の変調と、アンテナ部で取り込む無線信号の復調を行う無線部と、アンテナ部及び前記無線部を所望の場所に設置する設置部とを有し、設置部に、無線通信を行う対象物を確認するための覗き穴を設け、当該覗き穴は、アンテナ部の指向性方向と同一方向の中心軸を有し、アンテナ部の周辺に、アンテナ部の指向性方向と同一方向の中心軸を有する覗き穴を設け、設置部の覗き穴の中心軸と、アンテナ部の覗き穴の中心軸とが同一の直線上に配置されるようにアンテナ部及び無線部を設置するものとしているので、対象物の照準を絞りやすくできるため、一層容易に通信対象物の方向にアンテナの向きを調整できる効果がある。
【図面の簡単な説明】
【図１】本発明の第１の実施の形態に係る加入者局アンテナの背面図である。
【図２】本発明の第１の実施の形態に係る加入者局アンテナの側面図である。
【図３】本発明の第２の実施の形態に係る加入者局アンテナの背面図である。
【図４】本発明の第２の実施の形態に係る加入者局アンテナの側面図である。
【図５】本発明の第３の実施の形態に係る加入者局アンテナの上面図である。
【図６】本発明の第３の実施の形態に係る加入者局アンテナの背面図である。
【図７】本発明の第３の実施の形態に係る加入者局アンテナの側面図である。
【図８】加入者無線アクセスシステムにおけるＰ−Ｐ方式による通信形態を示した説明図である。
【図９】加入者無線アクセスシステムにおけるＰ−ＭＰ方式による通信形態を示した説明図である。
【図１０】アンテナ部及び無線部を取り外した際の第２のアンテナの側面図である。
【符号の説明】
１１，２１…アンテナ部、　１２，２２…無線部、　１３，１５，２４…覗き穴、　１４…取り付け金具、　１６，２６…柱、　１７，２７，２５１…ボルト、　２３…アンテナステー、　２５…アンテナ固定金具、　１４１…アンテナ取り付け部、　１４２…固定部、　１４３，２５２…柱止め具、　１４４…傾き止め具
【図１】
2004072557.tif 000003
【図２】
2004072557.tif 000004
【図３】
2004072557.tif 000005
【図４】
2004072557.tif 000006
【図５】
2004072557.tif 000007
【図６】
2004072557.tif 000008
【図７】
2004072557.tif 000009
【図８】
2004072557.tif 000010
【図９】
2004072557.tif 000011
【図１０】
2004072557.tif 000012